(57)【要約】【課題】所謂ネック切れを防止できるとともに、異音を発生させることなく振動板の振動を妨げないスピーカ用ダンパと該スピーカ用ダンパを備えたスピーカを提供する。【解決手段】スピーカ１は振動部６と磁気回路部７を備えている。振動部６は振動板１０とダンパ１１とボイスコイル８を取り付けたボイスコイルボビン９を備えている。磁気回路部７はボイスコイルボビン９を介して振動板１０を振動させる。ダンパ１１は振動板１０の振動を許容するとともに該振動板１０の振動を徐々に減衰させる。ダンパ１１は第１のダンパ素材２１と第２のダンパ素材２２とは布状の接着性素材３０で互いに貼り合わされている。布状の接着性素材３０は不織布で構成されている。不織布を構成する繊維は熱可塑性樹脂からなる。【選択図】図１
2006270497.tif 000002
【特許請求の範囲】
【請求項１】
振動することで音を生じるスピーカの振動板が振動することを許容しかつ該振動板の振動を徐々に減衰させるとともに、第１のダンパ素材と第２のダンパ素材とを互いに貼り付けて得られるスピーカ用のダンパにおいて、
前記第１のダンパ素材と、前記第２のダンパ素材とは、布状の接着性素材で互いに貼り合わされていることを特徴とするスピーカ用のダンパ。
【請求項２】
前記布状の接着性素材を構成する繊維は、熱可塑性樹脂で構成されていることを特徴とする請求項１記載のスピーカ用のダンパ。
【請求項３】
振動することで音を生じる振動板と、前記振動板が振動することを許容するとともに該振動板の振動を徐々に減衰させるダンパと、を備えた振動部と、
前記振動部を振動させて音を生じさせる磁気回路部とを備えたスピーカにおいて、
前記ダンパとして請求項１又は請求項２記載のスピーカ用ダンパを備えたことを特徴とするスピーカ。
【発明の詳細な説明】
【技術分野】
【０００１】
本発明は、スピーカの振動板が振動することを許容するとともに該振動板の振動を徐々に減衰させるスピーカ用ダンパ及び該スピーカ用ダンパを備えたスピーカに関する。
【背景技術】
【０００２】
従来から用いられてきたスピーカは、振動部と、前記振動部を振動させて音を生じさせる磁気回路部と、ダンパとを備えている。振動部は、磁気回路部の後述する磁気ギャップ内に設けられて、前記磁気回路部と協働して前記振動板を振動させるボイスコイルと、このボイスコイルとともに振動するとともに、振動することで音を発生する振動板と、前記ボイスコイルを取り付けるとともに前記振動板を支持するボイスコイルボビンとを備えている。
【０００３】
磁気回路部は、磁性体からなりかつ円環状に形成されているとともにダンパと前記振動板の振動方向に沿って相対するヨークプレートと、このヨークプレートに取り付けられた磁石と、磁性体からなりかつ前記磁石に取り付けられているとともに、前記ヨークプレートとの間に振動板を駆動（振動）するための磁力を発生する磁気ギャップを形成するヨークと、を備えている。また、前記ヨークには、前記磁気回路部及び振動部を収容するケース部材が取り付けられている。
【０００４】
ダンパは、薄手の円環状に形成されており、内縁部がボイスコイルボビンに取り付けられているとともに、外縁部がケース部材に取り付けられている。ダンパは、前記振動板とともにボイスコイルボビンが振動することを許容するとともに、振動板とボイスコイルボビンの振動を徐々に減衰させる。
【０００５】
前述したダンパは、該ダンパを構成する原反に熱硬化性樹脂を含浸し、加熱したプレス加工により、前述した熱硬化性樹脂を硬化させて、所望の形状に成形して、製造されることがある。このように、製造されたダンパは、前述したボイルコイルに比較的大きな音声電流が供給された際に、ボイスコイルボビンが大きく振動しようとすると、特に該ボイスコイルボビンとの接合箇所で破断してしまうことがあった。所謂、前述したダンパは、ネック切れを起こしてしまう。
【０００６】
このような、ネック切れを防止するために、特にボイルコイルボビンとの接合箇所を２枚のダンパ素材同士を貼り付けて、製造されたダンパが用いられるようになっている。このような、２枚のダンパ素材を張り合わせるダンパを容易に製造するために、本発明の出願人は、２枚のダンパ素材間にラミネートフィルムを介在させるダンパの製造方法（例えば、特許文献１参照）を提案している。
【特許文献１】特開２００２−１９１０９４号公報
【発明の開示】
【発明が解決しようとする課題】
【０００７】
前述した特許文献１に示されたダンパの製造方法では、通気性の無いラミネートフィルムを用いるため、前述したダンパ素材が重なる箇所（ボイスコイルボビンとの接合箇所）に通気性の無い部分が生じてしまう。
【０００８】
前述したダンパは、通気性が無いために、振動板及びボイスコイルボビンとともに振動しようとした際に、ボイスコイルボビンとともに振動しにくくなって、該ボイスコイルボビンの振動を妨げることがあった。また、前述したダンパが通気性が無いために、振動板及びボイスコイルボビンとともに振動した際に、該ダンパが仕切るスピーカ内の空間の圧力が極端に高くなったり低くなったりする。このため、振動板が、異音を発生させ易くすることも考えられる。
【０００９】
したがって、本発明の目的は、例えば、所謂ネック切れを防止できるとともに、異音を発生させることなく振動板の振動を妨げないスピーカ用ダンパと該スピーカ用ダンパを備えたスピーカを提供することにある。
【課題を解決するための手段】
【００１０】
前記課題を解決し目的を達成するために、請求項１に記載の本発明のスピーカ用ダンパは、振動することで音を生じるスピーカの振動板が振動することを許容しかつ該振動板の振動を徐々に減衰させるとともに、第１のダンパ素材と第２のダンパ素材とを互いに貼り付けて得られるスピーカ用のダンパにおいて、前記第１のダンパ素材と、前記第２のダンパ素材とは、布状の接着性素材で互いに貼り合わされていることを特徴としている。
【００１１】
請求項３に記載の本発明のスピーカは、振動することで音を生じる振動板と、前記振動板が振動することを許容するとともに該振動板の振動を徐々に減衰させるダンパと、を備えた振動部と、前記振動部を振動させて音を生じさせる磁気回路部とを備えたスピーカにおいて、前記ダンパとして請求項１又は請求項２記載のスピーカ用ダンパを備えたことを特徴としている。
【発明を実施するための最良の形態】
【００１２】
以下、本発明の一実施形態にかかるスピーカ用ダンパ及び該スピーカ用ダンパを備えたスピーカを説明する。本発明の一実施形態にかかるスピーカは、布で構成される第１のダンパ素材と第２のダンパ素材とを貼り付ける素材として、布状の接着性素材を用いたスピーカ用ダンパを備えている。このように、スピーカ用ダンパの２枚の布（ダンパ素材）を貼り合わせるために、通気性を有する布状の接着性素材を用いることで、該スピーカ用ダンパの通気性を確保して、該スピーカ用ダンパが振動板などの振動を妨げることを防止できるようにしている。さらに、スピーカ内の空間の圧力が変動することを防止してスピーカ用ダンパが異音を発生させることを防止できるようにしている。
【００１３】
また、前記布状の接着性素材を構成する繊維は、熱可塑性樹脂で構成されるのが望ましい。
【００１４】
なお、本発明のスピーカ用ダンパのダンパ素材同士を貼り合わせる布状の接着性素材は、不織布と織布とのいずれであっても良い。すなわち、本発明では、ダンパ素材同士を貼り合わせる布状の接着性素材は、不織布又は織布で構成されていれば良い。
【実施例】
【００１５】
本発明の一実施例を、図１ないし図５に基づいて説明する。本発明の一実施例に係るスピーカ１は、床（フロア）上などに設置されるボックスなどのフレームに取り付けられて、音を発生する。フレームには、スピーカ１の振動板１０などを露出する孔が設けられている。
【００１６】
スピーカ１は、図１に示すように、ケース４と、振動部６と、この振動部６を振動させて該振動部６に音を生じさせる磁気回路部７と、を備えている。
【００１７】
ケース４は、内外径が段階的に変化する円環状に形成されている。ケース４は、振動部６と磁気回路部７との双方と同軸に配されている。ケース４は、内縁部４ａが後述のヨークプレート１７に重ねられて該ヨークプレート１７に取り付けられている。ケース４は、外縁部４ｂが前述したフレームに取り付けられている。
【００１８】
振動部６は、ボイスコイル８と、ボイスコイルボビン９と、振動板１０と、スピーカ用ダンパ（以下、単にダンパと記す）１１と、エッジ１２と、図示しない錦糸線などを備えている。ボイスコイル８は、磁気回路部７の後述するヨーク１５とヨークプレート１７との双方と同軸で、かつ磁気回路部７の後述する磁気ギャップＧ内に配されている。ボイスコイル８には、錦糸線を介して音声電流が供給される。ボイスコイル８は、音声電流が供給されることで磁気回路部７と協働して、後述の振動板１０則ち振動部６を軸芯Ｐに沿って振動する。
【００１９】
ボイスコイルボビン９は、円筒状に形成されている。ボイスコイルボビン９は、ヨーク１５とヨークプレート１７とボイスコイル８と同軸に配されている。ボイスコイルボビン９は、軸芯方向の一端部９ａが磁気ギャップＧ内に挿入されており、該一端部９ａの外周にボイスコイル８を取り付けている。この一端部９ａは、ボイスコイルボビン９を取り付けた端部をなしている。
【００２０】
ボイスコイルボビン９は、ヨーク１５に、該ヨーク１５の軸芯Ｐ（図１中の一点鎖線で示す）に沿って移動自在に支持されている。なお、軸芯Ｐは、振動板１０則ち振動部６の振動方向をなしている。
【００２１】
振動板１０は、断面円弧状でかつ平面形状が円板状に形成された薄板状のセンタキャップ１３と、側方からみて切頭円錐状（円錐台状）でかつ平面形状が円環状に形成された薄板状のコーン１４とを備えている。コーン１４は、センタキャップ１３則ちヨーク１５などと同軸に配され、かつ内縁部が前記ボイスコイルボビン９の他端部９ｂに取り付けられている。センタキャップ１３は、ボイスコイルボビン９を塞いだ格好で、外縁部がコーン１４に取り付けられている。
【００２２】
ダンパ１１は、平面形状が円環状に形成され、かつ薄板状に形成されている。ダンパ１１は、内縁部がボイスコイルボビン９の他端部９ｂに取り付けられ、かつ外縁部がケース４の内面に取り付けられている。ダンパ１１は、ボイスコイルボビン９則ち振動板１０が前述した軸芯Ｐに沿って振動することを許容するとともに、該ボイスコイルボビン９則ち振動板１０の振動を徐々に減衰させる。
【００２３】
ダンパ１１は、図５に示すように、第１のダンパ素材２１と、第２のダンパ素材２２とが互いに布状の接着性素材３０で貼り合わされて構成されている。第１のダンパ素材２１は、ボイスコイルボビン９とケース４の内面とに亘って設けられている。第２のダンパ素材２２は、第１のダンパ素材２１の内縁部に重ねられて、該第１のダンパ素材２１に貼り付けられている。
【００２４】
ダンパ素材２１，２２及びこれらのダンパ素材２１，２２同士を貼り合わせる布状の接着性素材３０は、共に、布としての不織布で構成されている。なお、本発明でいう布とは、所謂不織布（紡績機、織機、編機を用いずに、繊維を接合させてつくった布状のもの）と、所謂織布（紡績機、織機、編機を用いて繊維同士を編んでつくった布状のもの）との双方を示している。このため、本発明では、ダンパ素材２１，２２及びこれらのダンパ素材２１，２２同士を貼り合わせる布状の接着性素材３０は、共に、布としての織布で構成されても良い。
【００２５】
ダンパ素材２１，２２及びこれらのダンパ素材２１，２２同士を貼り合わせる布状の接着性素材３０を構成する布としての不織布の繊維は、本実施例では、ポリアミド樹脂、アクリル樹脂などの熱可塑性樹脂で構成されている。このように、ダンパ素材２１，２２及びこれらのダンパ素材２１，２２同士を貼り合わせる布状の接着性素材３０は、通気性を有する材料としての布で構成されている。
【００２６】
エッジ１２は、平面形状が円環状に形成され、かつ薄板状に形成されている。エッジ１２は、内縁部がコーン１４の外縁部に取り付けられ、かつ外縁部がフレームの孔の内線部に取り付けられている。エッジ１２は、ボイスコイルボビン９則ち振動板１０が前述した軸芯Ｐに沿って振動することを許容するとともに、該ボイスコイルボビン９則ち振動板１０の振動を徐々に減衰させる。
【００２７】
錦糸線は、一端がボイスコイルボビン９の他端部９ｂの外周面上で前記ボイスコイル８と接続し、他端がケース４上で図示しない端子などと接続している。錦糸線は、半田などを用いたろう付けにより、ボイスコイル８及び図示しない端子に接続されている。
【００２８】
磁気回路部７は、磁性体（所謂、常磁性体又は強磁性体）からなるヨーク１５と、磁石１６と、磁性体（所謂、常磁性体又は強磁性体）からなるヨークプレート１７とを備えている。ヨーク１５は、円板状のボトムプレート１８と、該ボトムプレート１８の中央部から立設しかつボトムプレート１８と同軸の円柱状のセンタポール１９とを一体に備えている。
【００２９】
ボトムプレート１８の外径は、センタポール１９の外径より大きい。ヨーク１５は、センタポール１９のボトムプレート１８から離れた側の端部が、ボイスコイルボビン９の一端部９ａの内側に侵入した格好に配されている。
【００３０】
磁石１６は、円環状に形成されている。磁石１６は、永久磁石又は直流電源により励磁されるものでも良い。磁石１６は、内側にヨーク１５のセンタポール１９、ボイスコイルボビン９の一端部９ａ及びボイスコイル８が侵入した状態で、ヨーク１５のボトムプレート１８に重ねられて、該ヨーク１５に取り付けられている。
【００３１】
ヨークプレート１７は、円環状に形成されている。ヨークプレート１７は、内側にヨーク１５のセンタポール１９が侵入した状態で磁石１６に重ねられている。ヨークプレート１７と磁石１６とヨーク１５とは、互いに固定されている。ヨーク１５と、磁石１６と、ヨークプレート１７とは、互いに同軸に配されている。また、ヨーク１５のセンタポール１９の外周面と、ヨークプレート１７の内周面とは、互いに間隔をあけている。
【００３２】
前述した構成により、磁気回路部７は、所謂外磁型に構成されている。磁気回路部７は、ヨーク１５のセンタポール１９の外周面と、ヨークプレート１７の内周面との間に、前述したボイスコイル８と協働して振動板１０を駆動（振動）するための磁力を発生する磁気ギャップＧを形成している。
【００３３】
前述した構成のスピーカ１は、ボイスコイル８に音声電流が供給され、この音声電流に応じて磁気ギャップＧ内に保持されたボイスコイル８が前述した軸芯Ｐに沿って振動する。そして、ボイスコイル８を支持したボイスコイルボビン９が、振動板１０のセンタキャップ１３及びコーン１４と共に軸芯Ｐに沿って振動して、振動板１０のセンタキャップ１３及びコーン１４が、音声電流に応じた音を生じる。このように、磁気回路部７は、振動板１０則ち振動部６を振動させて、音を生じさせる。
【００３４】
また、前述したダンパ１１は、以下のように組み立てられる。まず、図２に示すように、ダンパ１１の外形に沿ったキャビティ２３が互いの間に形成された金型２４の第１の型２５と第２の型２６とが、互いに離される。そして、第１の型２５と第２の型２６との間に、円板状の第１のダンパ素材２１と、布状の接着性素材３０と、第２のダンパ素材２２とが位置付けられる。
【００３５】
そして、型２５，２６を加熱するとともに、該型２５，２６同士を互いに近づける。そして、ダンパ素材２１，２２及び布状の接着性素材３０を加熱しながら互いに密着する方向に加圧する。すると、ダンパ素材２１，２２の繊維と布状の接着性素材３０が互いに溶着して、図３に示すように、ダンパ素材２１，２２同士が貼り付けられる。そして、図４に示すように、溶着したダンパ素材２１，２２を型２５，２６間から取り外す。そして、ダンパ素材２１，２２の中央部などを除去して、図５に示す前述したダンパ１１を得る。
【００３６】
本実施例によれば、第１のダンパ素材２１と第２のダンパ素材２２とを貼り付けて、ダンパ１１を構成している。このため、該ダンパ１１が、所謂ネック切れを起こすことを防止できる。
【００３７】
また、ダンパ素材２１，２２及びこれらのダンパ素材２１，２２同士を貼り合わせる布状の接着性素材３０を布で構成しているので、これらのダンパ素材２１，２２及び布状の接着性素材３０の通気性を確保することができる。このため、勿論、ダンパ素材２１，２２同士を貼り合わされて得られたダンパ１１の通気性を確保することができ、該ダンパ１１が振動板１０などの振動を妨げることを防止できる。さらに、スピーカ１内の空間の圧力が変動することを防止して、ダンパ１１が異音を発生させることを防止できる。
【００３８】
ダンパ素材２１，２２及びこれらのダンパ素材２１，２２同士を貼り合わせる布状の接着性素材３０を構成する繊維は、熱可塑性樹脂で構成されている。このため、布状の接着性素材３０をダンパ素材２１，２２間に挟み込んで加熱しながら互いに近づく方向に加圧することで、ダンパ素材２１，２２同士を貼り付けることができる。したがって、ダンパ１１を容易に製造することができる。
【００３９】
スピーカ１は、前述したダンパ１１を備えているので、ネック切れを防止でき、かつ異音を発生させることなく振動板１０の振動を妨げることを防止できる。
【００４０】
前述した実施例では、スピーカ１を所謂外磁型としている。しかしながら、本発明では、スピーカ１を所謂内磁型としても良い。
【００４１】
また、本発明では、ダンパ素材２１，２２及び布状の接着性素材３０を構成する繊維を、熱可塑性樹脂以外の接着性材料（合成樹脂など）で構成しても良い。
【００４２】
前述した実施例によれば、以下のスピーカ用ダンパ１１及びスピーカ１が得られる。
【００４３】
（付記１）  振動することで音を生じるスピーカ１の振動板１０が振動することを許容しかつ該振動板１０の振動を徐々に減衰させるとともに、第１のダンパ素材２１と第２のダンパ素材２２とを互いに貼り付けて得られるスピーカ用のダンパ１１において、
前記第１のダンパ素材２１と、前記第２のダンパ素材２２とは、、布状の接着性素材３０で互いに貼り合わされていることを特徴とするスピーカ用のダンパ１１。
【００４４】
（付記２）  前記布状の接着性素材３０を構成する繊維は、熱可塑性樹脂で構成されていることを特徴とする付記１記載のスピーカ用ダンパ１１。
【００４５】
（付記３）  振動することで音を生じる振動板１０と、前記振動板１０が振動することを許容するとともに該振動板１０の振動を徐々に減衰させるダンパ１１と、を備えた振動部６と、
前記振動部６を振動させて音を生じさせる磁気回路部７とを備えたスピーカ１において、
前記ダンパ１１として付記１又は付記２記載のスピーカ用ダンパを備えたことを特徴とするスピーカ１。
【００４６】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００４７】
【図１】本発明の一実施例にかかるスピーカの断面図である。
【図２】図１に示されたスピーカのダンパを製造する際に用いられる金型を示す断面図である。
【図３】図２に示された金型でダンパを構成するダンパ素材同士を貼り付けた状態を示す断面図である。
【図４】図３に示された互いに貼り付けられたダンパ素材を示す断面図である。
【図５】図４に示されたダンパ素材から得られたダンパを示す断面図である。
【符号の説明】
【００４８】
１  スピーカ
６  振動部
７  磁気回路部
１０  振動板
１１  ダンパ（スピーカ用ダンパ）
２１  第１のダンパ素材
２２  第２のダンパ素材
３０  布状の接着性素材
【図１】
2006270497.tif 000003
【図２】
2006270497.tif 000004
【図３】
2006270497.tif 000005
【図４】
2006270497.tif 000006
【図５】
2006270497.tif 000007